(57)【特許請求の範囲】
【請求項１】
ＩＣカードの一方の面に形成される接続端子と電気接続する複数のカンチレバーコンタクトと、
これらのカンチレバーコンタクトを配列する平板状のハウジングと、
一端側を前記ハウジングと開閉自在に連結し、他端側から前記ＩＣカードが挿入されて収納可能な略箱状のカバーと、を備え、
前記カバーは、
前記ＩＣカードの絶縁面を含む他方の面を覆う主面部と、
この主面部の両翼に形成されて、略平行に延びる一対の支持片と、を有し、
前記一対の支持片は、
互いに対向し、かつ、前記ＩＣカードの両端をスライド可能に案内する一対の方形溝と、
前記主面部に対向して、これらの方形溝の底部に形成される対を成す複数の爪と、を設け、
前記対を成す複数の爪と複数の前記方形溝の底部とは、同一の平面を有し、
前記ハウジングに対して前記カバーを閉じると、前記ＩＣカードは、前記複数のカンチレバーコンタクトに付勢され、
前記ＩＣカードの一方の面が前記対を成す複数の爪から離間するように、これらの対を成す複数の爪が前記ハウジングに設けた複数の段差に挿通し、一対の前記方形溝の底部は、前記ハウジングの最上面から下方に向かって間隙が設けられる、コネクタ。
【請求項２】
前記カバーは、前記ハウジングの両翼と嵌合可能な一対の係止爪を他端側に備え、
前記ハウジングに対して前記カバーを閉じた状態から当該カバーを他端側に移動すると、前記一対の係止爪が前記ハウジングの両翼に嵌合して閉状態を維持すると共に、前記対を成す複数の爪が当該ハウジングに挿通されて前記ＩＣカードの一方の面に対して当該ハウジングで隔絶される請求項１記載のコネクタ。
【請求項３】
前記ハウジングは、プリント基板に表面実装される請求項１又は２記載のコネクタ。
【請求項４】
請求項１から３のいずれかに記載されるコネクタを備える携帯電話機。
【発明の詳細な説明】
【技術分野】
【０００１】
本発明は、電気接続用コネクタに関する。特に、携帯電話機などに使用されるＳＩＭ（Ｓｕｂｓｃｒｉｂｅｒ  Ｉｄｅｎｔｉｆｙ  Ｍｏｄｕｌｅ：加入者識別モジュール）カード用のコネクタの構造に関する。
【背景技術】
【０００２】
近年では、ＳＩＭカードを装着可能な携帯電話機が普及している。ＳＩＭカードは、電話事業者が発行する、契約者情報を記録したＩＣカードであり、携帯電話に差し込んで利用者の識別に用いられる。例えば、利用者は、ＳＩＭカードを購入後、携帯電話機に装着すれば直に使用できる。又、利用者は、ＳＩＭカードを差し換えることにより、同じ電話番号で別の携帯電話機を利用することもできる。更に、利用者は、同じ携帯電話機で複数のＳＩＭカードを自由に使い分けることもできる。
【０００３】
このようなＳＩＭカード用のコネクタとしては、ＳＩＭカード等のＩＣカードの挿抜を容易に行い、かつＩＣカードの脱落を防止することができるＩＣカード用のコネクタが発明されている（例えば、特許文献１参照）。
【特許文献１】特開２００４−７１３５３号公報
【発明の開示】
【発明が解決しようとする課題】
【０００４】
図１２は、特許文献１におけるコネクタのカバーを開いた状態の一例を示す斜視外観図である。本願の図１２は、特許文献１の図３に相当している。図１２に示すように、コネクタ７は、全体が扁平な略矩形状をしている。コネクタ７は、基台としてのハウジング７０と、ハウジング７０に一端が回動自在に支持されるカバー８０と、を有している。ハウジング７０とカバー８０とは略同一の大きさである。
【０００５】
図１２において、コネクタ７にＩＣカード９を挿入するときは、カバー８０を開いて、矢印Ｂ方向からＩＣカード９をカバー８０の開口８０ａに挿入する。一方、ＩＣカード９をカバー８０から抜去するときは、カバー８０を開いた状態でＩＣカード９を矢印Ｃ方向に引き出す。ＩＣカード９をカバー８０に挿入後、カバー８０を閉じて、更にカバー８０を矢印Ａ２方向へスライドさせると、カバー８０はロック状態となる。そして、複数のコンタクト７１とＩＣカード９の接続端子９ａとが接触し、電気的接続状態が維持される。カバー８０を矢印Ａ１方向へスライドすると、ロック状態が解除され、カバー８０を開くことができる。
【０００６】
図１２において、コネクタ７は開放操作部８２を備えている。開放操作部８２は、カバー８０の一部分に形成され、カバー８０の開放操作が行われる。カバー８０は、回動軸８１を支点として回動し、この支点から近い点である開放操作部８２を力点とし、前記支点の反対側の遠い点であるカード挿抜用の開口８０ａを作用点としている。コネクタ７は、ＩＣカード９の挿抜を容易に行い、かつＩＣカード９の脱落を防止できる。
【０００７】
図１２において、カバー８０の両側には、一対の溝８５ａ・８５ｂが設けられている。一対の溝８５ａ・８５ｂは、ＩＣカード９をカバー８０に挿抜するときに、ＩＣカード９を案内する。一対の溝８５ａ・８５ｂは、カバー８０における一対の側面部８５ａ・８５ｂが内側に折り曲げられ、横断面がコの字形状をしている。一対の側面部８５ａ・８５ｂには、カバー８０をハウジング７０に係止する一対の爪部８６ａ・８６ｂが設けられている。更に、カバー８０は、その開閉を補助するための弾性材である開閉補助片８７を有している。
【０００８】
図１３は、特許文献１によるコネクタに使用されるＩＣカードの一例を示す平面図であり、接続端子側から当該ＩＣカードを観ている。図１３において、ＩＣカード９は絶縁性のプラスチック筐体９ｂの内部にＩＣチップ（図示せず）が収納されている。このＩＣチップは、筐体９ｂの表面に貼り付けられた複数の金属箔に接続されている。そして、複数に区画されたこの金属箔がＩＣカード９の接続端子９ａとなっている。
【０００９】
一方、図１４は、図１３に示されたＩＣカードより小型のＩＣカードの一例を示す平面図であり、接続端子側から当該ＩＣカードを観ている。例えば、図１４に示された小型のＩＣカード１は、次世代の汎用ＩＣカードと言われている、ｍｉｎｉ−ＵＩＣＣ（Ｕｎｉｖｅｒｓａｌ  Ｉｎｔｅｇｒａｔｅｄ  Ｃｉｒｃｕｉｔ  Ｃａｒｄ）を示している。
【００１０】
図１４に示された小型のＩＣカード１は、図１３に示されたＩＣカード９と構造は同じである。しかし、ＩＣカード１の筐体１ｂの外形は、ＩＣカード９の筐体９ｂと比べて大変小さくなっている。一方、ＩＣカード１の接続端子１ａの外形は、ＩＣカード９の接続端子９ａの外形と僅かに小さくなっているだけである。したがって、筐体１ｂの両翼から接続端子１ａに至る絶縁幅ｔ（図１４参照）は、筐体９ｂの両翼から接続端子９ａに至る絶縁幅Ｔ（図１３参照）と比べ、僅かなものとなっている。
【００１１】
図１２に示されたカバー８０は、一般に金属薄板を成形加工して得られるものであり、図１４に示された絶縁幅が僅かなＩＣカード１は、複数の接続端子１ａが一対の溝８５ａ・８５ｂに短絡するという問題がある。絶縁性の筐体の面積に対して、複数の接続端子の占める面積割合が多い、絶縁幅が僅かなＩＣカードにも適用できる新たな構造のコネクタが求められている。そして、このことが本発明の課題といってよい。
【００１２】
このような問題に鑑みてなされたものであり、絶縁幅が僅かなＩＣカードであっても、ＩＣカードを保持する金属カバーが接続端子同士の短絡しない、新たな構造のコネクタを提供することを目的とする。
【課題を解決するための手段】
【００１３】
本発明者らは、ＩＣカードがスライド可能に挿抜可能な一対の溝を有する金属製の開閉カバーを備えるコネクタであって、当該カバーが閉じられた状態において、複数のコンタクトが当該ＩＣカードをカバーの主面部側に付勢することにより、接続端子同士の短絡を防止することを見出し、以下のような新たな構造のコネクタを発明するに至った。
【００１４】
（１）  ＩＣカードの一方の面に形成される接続端子と電気接続する複数のカンチレバーコンタクトと、これらカンチレバーコンタクトを配列する平板状のハウジングと、一端側は前記ハウジングと開閉自在に連結し、他端側から前記ＩＣカードが挿入されて収納可能な略箱状のカバーと、を備え、前記カバーは、前記ＩＣカードの他方の絶縁面を覆う主面部と、この主面部の両翼に形成されて略平行に延びる一対の支持片と、を有し、前記一対の支持片には、互いに対向しかつ前記ＩＣカードの両端をスライド可能に案内する一対の方形溝、及びこの一対の方形溝の一部を形成しかつ前記主面部に対向する対を成す複数の爪が設けられ、前記ハウジングに対して前記カバーを閉じると、前記ＩＣカードは前記複数のカンチレバーコンタクトに付勢されて、当該ＩＣカードの一方の面は前記対を成す複数の爪と離間するコネクタ。
【００１５】
（１）の発明によるコネクタは、複数のカンチレバーコンタクトと、平板状のハウジングと、略箱状のカバーと、を備えている。カンチレバーコンタクトは、ＩＣカードの一方の面に形成される接続端子と電気接続する。ハウジングは、複数のカンチレバーコンタクトを配列している。カバーは、一端側がハウジングと開閉自在に連結している。又、カバーの他端側からＩＣカードが挿入されて収納可能となっている。
【００１６】
ここで、カンチレバーコンタクトは、片持ち梁がばねと同じ働きをするコンタクトである。このカンチレバーコンタクトは導電性を有しており、導電性の金属板を成形加工して、所望の形状を得ることができる。一方、ハウジングは絶縁性を有している。絶縁性のハウジングは、非導電性の材料からなるハウジングのことであってよく、エンジニアリングプラスチックを成型して、平板状の形状を得ることができる。
【００１７】
例えば、カンチレバーコンタクトは、板状コンタクトからなり、固定アームと弾性アームを有してよく、弾性アームは先端部に円弧状の接点を形成することが好ましい。そして、固定アームに対して、弾性アームが立ち上るように傾斜することが好ましい。固定アームは、ハウジングに圧入されて固定され、接点がハウジングの一方の面から突出するようにカンチレバーコンタクトが配列される。そして、カバーに収納されたＩＣカードの一方の面に形成される複数の接続端子に、接点が接触可能となる。又、固定アームの先端部には、プリント基板にハンダ接合するためのハンダ接合部を設けてもよい。
【００１８】
強度の確保やＩＣカードに対する電磁シールド効果を考慮すると、カバーは金属薄板から成ることが好ましく、展開された金属薄板が打ち抜き加工、折り曲げ加工、又は絞り加工されて、略箱状の形状を得ることができる。
【００１９】
ここで、カバーの他端側には、ＩＣカードが挿入される開口が形成され、カバーの一端側には、ＩＣカードが所定の位置で停止する停止壁が設けられる。この停止壁は、後述する主面部の一端側が折り曲げられた折り曲げ片であってもよい。
【００２０】
又、カバーの一端側には、後述する主面部の両翼に一対の折り曲げ片を備え、この一対の折り曲げ片に互いに向かい合う一対の突起を設け、一方、ハウジングの一端側には、ハウジングの両側面に前記一対の突起が入る一対の係合穴を設け、前記一対の突起を回動中心として、カバーとハウジングが開閉自在に連結してもよい。ハウジングの一端側に両側面から互いに相反する向きに突出する一対の突起を設け、前記一対の折り曲げ片に、この一対の突起が入る係合穴を設け、カバーとハウジングが開閉自在に連結してもよい。前記ハウジングに設けられる一対の係合穴は、カバーがスライドできる案内溝に連通してよく、前記カバーに設けられる一対の係合穴は、カバーがスライドできる案内穴としてもよい。
【００２１】
更に、（１）の発明によるコネクタは、前記カバーが、主面部及び一対の支持片を有している。主面部は、カバーに収納された状態でＩＣカードの他方の絶縁面を覆っている。一対の支持片は主面部の両翼に形成されて、略平行に延びている。一対の支持片には、一対の方形溝及び対を成す複数の爪が設けられている。一対の方形溝は、互いに対向し、かつＩＣカードの両端をスライド可能に案内する。対を成す複数の爪は、一対の方形溝の一部を形成し、かつ主面部に対向している。
【００２２】
主面部は、略矩形状に形成されハウジングと略同じ大きさを有している。主面部には、ＩＣカードの収納を確認するための点検穴を設けてもよく、カバーに収納されるＩＣカードを複数の爪側に付勢するための板ばね片を設けてもよい。主面部の一端側には、ＩＣカードの誤挿入を防止するために、折り曲げ片で形成されるキー（Ｋｅｙ）を設けてもよく、主面部の他端側には、カバーに収納されるＩＣカードを把持して引き出し容易とするために、切り欠きを設けてもよい。
【００２３】
例えば、一対の支持片は、主面部の両翼がコの字状に折り曲げられて形成される。一対の支持片自体が一対の方形溝を形成しているといってもよい。一対の支持片の対向間隔は、ＩＣカードの外形に見合っている。一方、主面部の外形は、ＩＣカードの外形より大きいハウジングの外形に見合っている。かくして、一対の支持片は主面部の中間に設けられ、主面部は両翼が凹の字状に窪んだ「Ｉ」の字状の平面形状となっている。複数の爪は、一対の支持片の一端側と他端側に一対ずつ設けられる態様が好ましい。
【００２４】
一対の方形溝の対向間隔は、ＩＣカードの外形より僅かに大きく、ＩＣカードがスライド可能に挿入される。主面部と複数の爪の間隔は、ＩＣカードの厚さより適度に大きいことが好ましく、ＩＣカードが複数のカンチレバーコンタクトに付勢されて、ＩＣカードの一方の面が対を成す複数の爪と離間することが可能になる。
【００２５】
又、（１）の発明によるコネクタは、ハウジングに対してカバーを閉じると、ＩＣカードは複数のカンチレバーコンタクトに付勢されて、主面部側に移動する。そして、ＩＣカードの一方の面は、対を成す複数の爪と離間することができる。
【００２６】
このように、（１）の発明によるコネクタは、ＩＣカードがスライド可能に挿抜可能な一対の溝を有する金属製の開閉カバーを備え、カバーが閉じられた状態において、複数のコンタクトがＩＣカードをカバーの主面部側に付勢することにより、ＩＣカードを支持する対を成す複数の爪が接続端子同士を短絡することを防止できる。（１）の発明によるコネクタは、絶縁性の筐体の面積に対して、複数の接続端子の占める面積割合が多い、絶縁幅が僅かなＩＣカードにも適用できる。又、絶縁幅に比較的余裕のある一般的なＩＣカードにも適用できる。なお、カバーの閉状態を維持するためには、このコネクタにロック機構を設けることが好ましい。
【００２７】
（２）  前記カバーは、前記ハウジングの両翼と嵌合可能な一対の係止爪を他端側に備え、前記ハウジングに対して前記カバーを閉じた状態から当該カバーを他端側に移動すると、前記一対の係止爪が前記ハウジングの両翼に嵌合して閉状態を維持すると共に、前記対を成す複数の爪が当該ハウジングに挿通されて前記ＩＣカードの一方の面に対して当該ハウジングで隔絶される（１）記載のコネクタ。
【００２８】
（２）の発明によるコネクタは、ハウジングの両翼と嵌合可能な一対の係止爪をカバーの他端側に備えている。ハウジングに対してカバーを閉じた状態から、カバーを他端側に移動すると、一対の係止爪がハウジングの両翼に嵌合して閉状態を維持する。又、対を成す複数の爪がハウジングに挿通されて、ＩＣカードの一方の面に対してハウジングで隔絶される。
【００２９】
例えば、一対の係止爪は主面部の両翼の一部がコの字状に折り曲げられて形成される。ハウジングには、カバーが閉状態において、一対の支持片及び一対の係止爪を逃げる一対の切り欠き部が設けられている。かくして、一対の切り欠き部はハウジングの中間に設けられ、ハウジングは両翼が凹の字状に窪んだ「Ｉ」の字状の平面形状となっている。更に、一対の切り欠き部の両翼には、カバーが閉状態において、対を成す複数の爪を逃げる複数の凹字状の逃げ部が設けられている。
【００３０】
ハウジングの他端側には、一対の切り欠き部に連通する一対の段差が設けられており、ハウジングに対してカバーを閉じた状態から、カバーを他端側に移動すると、一対の係止爪がこの一対の段差に挿通し、カバーの閉状態を維持することができる。ここで、一対の係止爪がハウジングの他端側の両翼を把持する形でロック状態を維持できる。カバーを一端側に移動すると、ロック状態が解除され、ハウジングに対してカバーを開いた状態に復帰できる。
【００３１】
又、ハウジングの中間には、逃げ部に連通する段差が設けられており、ハウジングに対してカバーを閉じた状態から、カバーを他端側に移動すると、対を成す複数の爪がこの複数の段差に挿通し、ＩＣカードの一方の面に対してハウジングで隔絶される。このように、（２）の発明によるコネクタは、ＩＣカードを支持する対を成す複数の爪をハウジングで確実に絶縁している。
【００３２】
（３）  前記ハウジングはプリント基板に表面実装される（１）又は（２）記載のコネクタ。
【００３３】
ここで、カンチレバーコンタクトの固定アームの先端部には、プリント基板にハンダ接合するためのハンダ接合部を設けられている。この複数のカンチレバーコンタクトを配列するハウジングがプリント基板に表面実装される。ハウジングに一対の補強タブを圧入し、この補強タブをプリント基板にハンダ接合し、プリント基板に対するこのハウジングの接合強度を補完してもよい。
【００３４】
（４）  （１）から（３）のいずれかに記載されるコネクタを備える携帯電話機。
【発明の効果】
【００３５】
本発明によるコネクタは、ＩＣカードがスライド可能に挿抜可能な一対の溝を有する金属製の開閉カバーを備え、カバーが閉じられた状態において、複数のコンタクトがＩＣカードをカバーの主面部側に付勢することにより、接続端子同士の短絡を防止することができる。本発明によるコネクタは、絶縁性の筐体の面積に対して、複数の接続端子の占める面積割合が多い、絶縁幅が僅かなＩＣカードにも適用できる。又、絶縁幅に比較的余裕のある一般的なＩＣカードにも適用できる。
【発明を実施するための最良の形態】
【００３６】
以下、図面を参照して本発明を実施するための最良の形態を説明する。
【００３７】
図１は、本発明によるコネクタの一実施形態の構成を示す斜視外観図であり、カバーが開いた状態図である。図２は、前記実施形態のコネクタの平面図である。図３は、前記実施形態のコネクタの底面図である。図４は、前記実施形態のコネクタの左側面図である。図５は、前記実施形態のコネクタの右側面図である。
【００３８】
図６は、前記実施形態のコネクタにおけるハウジングの斜視外観図である。図７は、前記実施形態のコネクタにおけるカバーの斜視外観図である。図８は、前記実施形態のコネクタの正面図であり、カバーが開いた状態図である。
【００３９】
図９は、前記実施形態のコネクタにＩＣカードを装着する手順を示す状態変化図である。図１０は、前記実施形態のコネクタがロックされる前の状態図であり、図１０（Ａ）は、前記実施形態のコネクタを底面から観た斜視外観図、図１０（Ｂ）は、図１０（Ａ）の要部拡大図である。図１１は、前記実施形態のコネクタがロックされた状態図であり、図１１（Ａ）は、前記実施形態のコネクタを底面から観た斜視外観図、図１１（Ｂ）は、図１１（Ａ）の要部拡大図である。
【００４０】
最初に、本発明によるコネクタの構成を説明する。図１において、コネクタ１０は、複数のカンチレバーコンタクト（以下、コンタクトと略称する）２と、平板状のハウジング３と、略箱状のカバー４と、を備えている。コンタクト２は、ＩＣカード１の一方の面に形成される複数の接続端子１ａと電気接続する。ハウジング３は、複数のコンタクト２を配列している。カバー４は、一端側がハウジング３と開閉自在に連結している。又、カバー４の他端側からＩＣカード１が挿入されて収納可能となっている。
【００４１】
図１において、コンタクト２は、片持ち梁がばねと同じ働きをするコンタクトであって、導電性の金属板を成形加工している。ハウジング３は絶縁性を有するエンジニアリングプラスチックを成型している。
【００４２】
図１において、コンタクト２は、板状コンタクトからなり、固定アーム２ａと弾性アーム２ｂを有している。弾性アーム２ｂは、先端部に円弧状の接点２１を形成している。そして、固定アーム２ａに対して、弾性アーム２ｂが立ち上るように傾斜している。固定アーム２ａは、ハウジング３に圧入されて固定されている。ハウジング３は、接点２１がハウジング３の一方の面３ｓから突出するように、複数のコンタクト２を配列している（図４及び図５参照）。固定アーム２ａの先端部には、プリント基板（図示せず）にハンダ接合するためのハンダ接合部２２が設けられている（図３参照）。
【００４３】
図１において、カバー４は金属薄板から成り、展開された金属薄板が打ち抜き加工、折り曲げ加工、又は絞り加工されて、略箱状の形状となっている。カバー４の他端側には、ＩＣカード１が挿入される開口４０が形成され、カバー４の一端側には、ＩＣカード１が所定の位置で停止する停止壁が設けられる。この停止壁は、主面部４ａの一端側が折り曲げられた断続する複数の折り曲げ片４１となっている（図７参照）。
【００４４】
図１において、カバー４の一端側には、主面部４ａの両翼に一対の折り曲げ片４ｂ・４ｃを備えている。一対の折り曲げ片４ｂ・４ｃには、互いに向かい合う一対の突起４ｄ・４ｅが設けられている（図３参照）。一方、ハウジング３の一端側には、ハウジング３の両側面に一対の突起４ｄ・４ｅが入る一対の係合穴３ａ・３ｂが設けられている（図６参照）。このように、一対の突起４ｄ・４ｅを回動中心として、ハウジング３に対して、カバー４が開閉自在に連結している。又、ハウジング３に設けられる一対の係合穴３ａ・３ｂは、カバー４が他端側に移動できる一対の案内溝３ｃ・３ｄに連通している（図４及び図５又は図６参照）。
【００４５】
図１において、カバー４は、主面部４ａ及び一対の支持片４ｆ・４ｇを有している。主面部４ａは、カバー４に収納された状態で、ＩＣカード１の他方の絶縁面を覆っている。一対の支持片４ｆ・４ｇは主面部４ａの両翼に形成されて、略平行に延びている。一対の支持片４ｆ・４ｇには、一対の方形溝４ｈ・４ｊ及び対を成す複数の爪４２１〜４２４が設けられている。一対の方形溝４ｈ・４ｊは、互いに対向し、かつＩＣカード１の両端をスライド可能に案内する。対を成す複数の爪４２１〜４２４は、一対の方形溝４ｈ・４ｊの一部を形成し、かつ主面部４ａに対向している。
【００４６】
図１において、主面部４ａは、略矩形状に形成され、ハウジング３と略同じ大きさを有している。主面部４ａには、ＩＣカード１の収納を確認するための複数の点検穴４３が設けられている（図８参照）。又、カバー４に収納されるＩＣカード１を複数の爪４２１〜４２４側に付勢するための複数の板ばね片４４が設けられている。主面部４ａの一端側には、ＩＣカード１の誤挿入を防止するために、折り曲げ片で形成されるキー（Ｋｅｙ）４５が設けられている（図８参照）。主面部４ａの他端側には、カバー４に収納されるＩＣカード１を把持して引き出し容易とするために、切り欠き４６が設けられている。
【００４７】
図２に示されるように、一対の支持片４ｆ・４ｇは、主面部４ａの両翼がコの字状に折り曲げられて形成されている。一対の支持片４ｆ・４ｇ自体が一対の方形溝４ｈ・４ｊを形成している。一対の支持片４ｆ・４ｇの対向間隔は、ＩＣカード１の外形に見合っている。一方、主面部４ａの外形は、ＩＣカード１の外形より大きいハウジング３の外形に見合っている。そして、図８に示されるように、一対の支持片４ｆ・４ｇは主面部４ａの中間に設けられ、主面部４ａは両翼が凹の字状に窪んだ「Ｉ」の字状の平面形状となっている。複数の爪４２１〜４２４は、一対の支持片４ｆ・４ｇの一端側と他端側に一対ずつ設けられている。
【００４８】
図１において、一対の方形溝４ｈ・４ｊの対向間隔は、ＩＣカード１の外形より僅かに大きく、ＩＣカード１がスライド可能に挿入される。主面部４ａと複数の爪４２１〜４２４の間隔は、ＩＣカード１の厚さより適宜に大きく、ＩＣカード１が複数のコンタクト２に付勢されて、ＩＣカード１の一方の面（複数の接続端子１ａが形成される面）は、対を成す複数の爪４２１〜４２４と離間することが可能になる。
【００４９】
更に、図１において、コネクタ１０は、ハウジング３の両翼と嵌合可能な一対の係止爪４ｋ・４ｍをカバー４の他端側に備えている。ハウジング３に対してカバー４を閉じた状態から、カバー４を他端側に移動すると、一対の係止爪４ｋ・４ｍがハウジング３に嵌合して閉状態を維持することができる。又、対を成す複数の爪４２１〜４２４がハウジング３に挿通されて、対を成す複数の爪４２１〜４２４は、ＩＣカード１の一方の面に対してハウジング３で隔絶される。
【００５０】
図２に示されるように、一対の係止爪４ｋ・４ｍは、主面部４ａの両翼の一部がコの字状に折り曲げられて形成される。一方、ハウジング３には、カバー４が閉状態において、一対の支持片４ｆ・４ｇ及び一対の係止爪４ｋ・４ｍを逃げる一対の切り欠き部３ｆ・３ｇが設けられている。図２に示されるように、一対の切り欠き部３ｆ・３ｇは、ハウジング３の中間に設けられ、ハウジング３は両翼が凹の字状に窪んだ「Ｉ」の字状の平面形状となっている。更に、一対の切り欠き部３ｆ・３ｇの両翼には、カバー４が閉状態において、対を成す複数の爪４２１〜４２４を逃げる複数の凹字状の逃げ部３２１〜３２４が設けられている。
【００５１】
一方、ハウジング３の他端側には、一対の切り欠き部３ｆ・３ｇに連通する一対の段差３ｋ・３ｍが設けられている（図４及び図５参照）。ハウジング３に対してカバー４を閉じた状態から、カバー４を他端側に移動すると、一対の係止爪４ｋ・４ｍが一対の段差３ｋ・３ｍに挿通し、カバー４の閉状態を維持することができる。一対の係止爪４ｋ・４ｍがハウジング３の他端側の両翼を把持する形でロック状態を維持できる。カバー４を一端側に移動すると、ロック状態が解除され、ハウジング３に対してカバー４を開いた状態に復帰できる。
【００５２】
又、ハウジングの中間には、複数の逃げ部３２１〜３２４にそれぞれ連通する段差３３１〜３３４が設けられている（図４及び図５参照）。ハウジング３に対してカバー４を閉じた状態から、カバー４を他端側に移動すると、対を成す複数の爪４２１〜４２４が複数の段差３３１〜３３４に挿通し、ＩＣカード１の一方の面に対してハウジング３で隔絶される。
【００５３】
例えば、コネクタ１０は、携帯電話機に内蔵されるプリント基板（図示せず）に表面実装される。前述したように、コンタクト２の固定アーム２ａの先端部に、プリント基板にハンダ接合するためのハンダ接合部２２を設け、プリント基板に表面実装される。又、コネクタ１０は、一対の補強タブ５ａ・５ｂを備えている（図１参照）。一対の補強タブ５ａ・５ｂはハウジング３に圧入され、一対の補強タブ５ａ・５ｂの底面がプリント基板にハンダ接合されることにより、プリント基板に対するコネクタ１０の接合強度を補完することができる。
【００５４】
次に、コネクタにＩＣカードを装着する手順を説明する。図９（Ａ）は、ハウジング３に対して、カバー４が開いた状態図であり、ＩＣカード１をカバー４に挿入する。図９（Ｂ）は、ＩＣカード１がカバー４に挿入されて収納された状態図である。図９（Ｂ）に示された状態において、ＩＣカード１の接続端子１ａ（図１４参照）は、対を成す複数の爪４２１〜４２４（図１参照）に接触していることも有り得る。
【００５５】
次に、カバー４を時計方向に回転して閉じると、図９（Ｃ）に示された状態図になる。図９（Ｃ）に示された状態では、カバー４が閉じられた状態において、複数のコンタクト２がＩＣカード１をカバー４の主面部４ａ側に付勢することにより、対を成す複数の爪４２１〜４２４（図１参照）が接続端子１ａ同士を短絡すること防止できる。ここで、複数のコンタクト２の付勢力の総和に比べて、複数の板ばね片４４（図１参照）の押圧力は、大変弱く、ＩＣカード１が主面部４ａ側に移動することを妨げないものとなっている。又、図９（Ｃ）に示された状態では、図１０に示されるように、一対の係止爪４ｋ・４ｍは一対の段差３ｋ・３ｍに対向している。
【００５６】
次に、カバー４を他端側に移動すると、図９（Ｄ）に示された状態図になる。図９（Ｄ）に示された状態では、図１１に示されるように、一対の係止爪４ｋ・４ｍが一対の段差３ｋ・３ｍ（図４及び図５参照）に挿通され、カバー４の閉状態を維持することができる。又、図９（Ｄ）及び図１１に示された状態では、対を成す複数の爪４２１〜４２４（図１参照）が、複数の段差３３１〜３３４（図４及び図５参照）に挿通し、ＩＣカード１の一方の面に対してハウジング３で隔絶される。このように、本発明によるコネクタは、ＩＣカードを支持する対を成す複数の爪をハウジングで確実に絶縁している。
【００５７】
本発明によるコネクタは、ＩＣカードがスライド可能に挿抜可能な一対の溝を有する金属製の開閉カバーを備え、カバーが閉じられた状態において、複数のコンタクトがＩＣカードをカバーの主面部側に付勢することにより、ＩＣカードを支持する対を成す複数の爪が接続端子同士を短絡することを防止できる。本発明によるコネクタは、絶縁性の筐体の面積に対して、複数の接続端子の占める面積割合が多い、絶縁幅が僅かなＩＣカード（図１４参照）にも適用できる。又、絶縁幅に比較的余裕のある一般的なＩＣカード（図１３参照）にも適用できる。
【図面の簡単な説明】
【００５８】
【図１】本発明によるコネクタの一実施形態の構成を示す斜視外観図である。
【図２】前記実施形態のコネクタの平面図である。
【図３】前記実施形態のコネクタの底面図である。
【図４】前記実施形態のコネクタの左側面図である。
【図５】前記実施形態のコネクタの右側面図である。
【図６】前記実施形態のコネクタにおけるハウジングの斜視外観図である。
【図７】前記実施形態のコネクタにおけるカバーの斜視外観図である。
【図８】前記実施形態のコネクタの正面図である。
【図９】前記実施形態のコネクタにＩＣカードを装着する手順を示す状態変化図である。
【図１０】前記実施形態のコネクタがロックされる前の状態図である。
【図１１】前記実施形態のコネクタがロックされた状態図である。
【図１２】従来技術によるコネクタのカバーを開いた状態の一例を示す斜視外観図である。
【図１３】従来技術のコネクタに使用されるＩＣカードの一例を示す平面図である。
【図１４】図１３のＩＣカードより小型のＩＣカードの一例を示す平面図である。
【符号の説明】
【００５９】
１・９  ＩＣカード
１ａ・９ａ  接続端子
２  カンチレバーコンタクト（コンタクト）
３  ハウジング
４  カバー
４ａ  主面部
４ｆ・４ｇ  一対の支持片
４ｈ・４ｊ  一対の方形溝
１０  コネクタ
４２１〜４２４  対を成す複数の爪
【図１】
0004724540.tif 000002
【図２】
0004724540.tif 000003
【図３】
0004724540.tif 000004
【図４】
0004724540.tif 000005
【図５】
0004724540.tif 000006
【図６】
0004724540.tif 000007
【図７】
0004724540.tif 000008
【図８】
0004724540.tif 000009
【図９】
0004724540.tif 000010
【図１０】
0004724540.tif 000011
【図１１】
0004724540.tif 000012
【図１２】
0004724540.tif 000013
【図１３】
0004724540.tif 000014
【図１４】
0004724540.tif 000015